(57)【要約】      （修正有）【課題】給水ホースと水道蛇口とを連結する、水道蛇口と給水ホースとの連結用ホルダー装置を開示する。【解決手段】水道蛇口結合具は、固定用ナットにより水道蛇口に結合する連結管を含む。連結具の外周面には作動手段が設置される。作動手段はスリーブ、離脱防止具及び結合具を含む。スリーブは連結管の軸方向に沿って移動可能に設置される。離脱防止具はスリーブとともに移動しながら連結管の外周に着脱可能に設置される。結合具はスリーブの移動を所定距離に規制して離脱を防止するように設置される。スプリングは作動手段を連結管の軸方向に対して弾性的に支持するように設置される。作動手段の外側には固定具が設置される。作動手段、スプリング及び固定具の外側には、これらを収容するための連結具が結合される。連結具の内面には作動手段の離脱を防止するために係止溝が形成される。連結具の内部には第１パッキンが挿入される。【選択図】図１
2007010152.tif 000002
【特許請求の範囲】
【請求項１】
外周面に離脱防止具係止溝（４９７Ａ）及び案内突起（４９７Ｂ）が形成された連結管（４９５）と、該連結管（４９５）を水道蛇口（Ｔ）に設置するための固定用ナット（４９１）とを含む水道蛇口結合具（４９０）と、
上記連結管（４９５）の軸方向に移動でき、上記連結管（４９５）の外周に着脱可能に設置される作動手段（４３０、６４０）と、
上記作動手段（４３０、６４０）を上記連結管（４９５）の軸方向に対して弾性的に支持するためのスプリング（Ｓ）と、
上記スプリング（Ｓ）を収容するためのスプリング溝（４２１、６２１）を内部に有し、上記作動手段（４３０、６４０）の外側に設置される固定具（４２０、６２０、６３０）と、
上記作動手段（４３０、６４０）、上記スプリング（Ｓ）及び上記固定具（４２０、６２０、６３０）を収容するために一端に形成された結合部（４１３）と、該結合部（４１３）と一体に形成されて給水ホースに嵌挿される嵌挿部（４１２）とを含み、上記作動手段（４３０、６４０）の離脱を防止するために上記結合部（４１３）の内面に係止溝（４１５）が形成された連結具（４１０、５１０）と、
上記連結具（４１０、５１０）の結合部（４１３）の内部に挿入される第１パッキン（Ｐ１、Ｐ３）と、
を含むことを特徴とする水道蛇口と給水ホースとの連結用ホルダー装置。
【請求項２】
上記作動手段（４３０、６４０）は、
管形を有し、上記水道蛇口結合具（４９０）側に位置する端部には外周面に突出した支持段（４４１、５４２、６５１、７４２）が形成され、外周面には円周方向に沿って離脱防止突起（４４６、５４６、６５６、７４６）と一つ以上の離脱防止具溝（４４７、４５２、５５０、６５７、６６２、７５０）が形成され、内部にはスプリング（Ｓ）を支持するためのスプリング支持溝（４５４、６６４）が形成されたスリーブ（４４０、４５０、５２０、５４０、５６０、６５０、６６０、７２０、７４０、７６０）と、
上記離脱防止具溝（４４７、４５２、５５０、６５７、６６２、７５０）に設置され、上記連結管（４９５）の離脱防止具係止溝（４９７Ａ）に対して係止又は係止解除される離脱防止具（４６０、６７０）と、
上記スリーブ（４４０、４５０、５２０、５４０、５６０、６５０、６６０、７２０、７４０、７６０）の外周面に結合され、等間隔で複数配置される結合片（４７２）を有し、上記各結合片（４７２）の内周面には上記スリーブの離脱防止突起（４４６、５４６、６５６、７４６）に掛かるようにフック（４７３）が形成され、上記各結合片（４７２）の外周面には上記連結具の係止溝（４１５）に係合する係合突起（４７４）が形成された結合具（４７０）と、
を含むことを特徴とする請求項１に記載の水道蛇口と給水ホースとの連結用ホルダー装置。
【請求項３】
上記スリーブ（４４０、４５０、５２０、６５０、６６０、７２０）は、上記離脱防止具溝（４４７、４５２、６５７、６６２）を円周方向に沿って分割しながら二個に分離されることを特徴とする請求項２に記載の水道蛇口と給水ホースとの連結用ホルダー装置。
【請求項４】
上記固定具（４２０、６２０、６３０）は、内面の一側に離脱防止具支持溝（４２５、６３２）が提供され、該離脱防止具支持溝（４２５、６３２）から傾斜面（４２７、６３４）に沿って延びて更に凹んだ離脱防止具収容溝（４２３、６２３）が形成され、該離脱防止具収容溝（４２３、６２３）にスプリング溝（４２１、６２１）が階段式に延設されていることを特徴とする請求項１に記載の水道蛇口と給水ホースとの連結用ホルダー装置。
【請求項５】
上記固定具（６２０、６３０）は、上記傾斜面（６３４）と上記離脱防止具収容溝（６２３）との境界線を基準に円周方向に沿って二つに分かれていることを特徴とする請求項４に記載の水道蛇口と給水ホースとの連結用ホルダー装置。
【請求項６】
上記連結具（４１０、５１０）における結合部（４１３）の外周面の一側端部には掛け具溝（４１９）が形成され、該掛け具溝（４１９）には掛け具（４８０）が結合されることを特徴とする請求項２又は４に記載の水道蛇口と給水ホースとの連結用ホルダー装置。
【請求項７】
上記連結具（４１０、５１０）における結合部（４１３）の内周面の一側端部には一つ以上の嵌合溝（５１２）が形成され、上記スリーブ（５２０、５６０、７２０、７６０）の一側には上記嵌合溝（５１２）に嵌合する嵌合突起（５２２、５６２、７２２、７６２）が突設されていることを特徴とする請求項２又は４に記載の水道蛇口と給水ホースとの連結用ホルダー装置。
【請求項８】
上記離脱防止具（４６０）は円形の球からなることを特徴とする請求項２又は４に記載の水道蛇口と給水ホースとの連結用ホルダー装置。
【請求項９】
上記離脱防止具（６７０）は円筒形の頭部（６７１）と、頭部から突設した円筒形係止段（６７２）を含むことを特徴とする請求項２又は４に記載の水道蛇口と給水ホースとの連結用ホルダー装置。
【発明の詳細な説明】
【技術分野】
【０００１】
本発明は、水道蛇口にワンタッチで着脱できて使用が便利であり、外部から外力が加えられても離脱が防止される水道蛇口と給水ホースとの連結用ホルダー装置に関する。
【背景技術】
【０００２】
一般的に、水道水を供給する水道蛇口には使用者の必要に応じて一定の長さの給水ホースを連結して使用しており、特に水道蛇口と給水ホースとを強固に結合して離脱及び漏水を防止すべく、水道蛇口と給水ホースとの間には別途に構成されたホルダー装置が結合される。
【０００３】
図１９は、従来の水道蛇口と給水ホースとの連結用ホルダー装置を示した断面図である。
【０００４】
図１９に示すように、ホルダー装置１００は固定具１１０、結合具１２０及び連結具１３０を含む。
【０００５】
固定具１１０はネジ１１９により水道蛇口２００の端部に固定される。固定具１１０の上部外周面には複数のネジ締結孔１１２が形成されている。固定具１１０の内周面には水道蛇口２００の末端が気密接触するようにゴムパッキン１１４が挟まれる。固定具１１０の下部には連結具１３０が締結される。固定具１１０の下部外周面には固定具ネジ山１１６が形成されている。
【０００６】
結合具１２０は給水ホース１４０の末端に固定される。結合具１２０の上部外周面には複数のボール挿入孔１２１が形成されている。各ボール挿入孔１２１にはボール１２２が挿入される。結合具１２０にはスプリング１２６の弾力を受けて垂直移動できるように作動部１２５が設けられる。作動部１２５の内周面には突起１２７が形成されている。作動部１２５が上部に垂直移動する時、各ボール１２２は突起１２７により内側方向に水平加圧される。
【０００７】
連結具１３０は、固定具１１０と結合具１２０を連結するためのものである。連結具１３０の上部内周面には固定具１１０の固定具ネジ山１１６に噛み合うように連結具ネジ山１３２が形成されている。連結具１３０の下部外周面には係止溝１３６が形成されている。この係止溝１３６には結合具１２０の各ボール挿入孔１２１に挿入されたボール１２２の一部が係止される。
【０００８】
このように構成された従来のホルダー装置１００の使用方法は次の通りである。
【０００９】
まず、固定具１１０の内周面に挟まれたゴムパッキン１１４に水道蛇口２００の末端が接触するように固定具１１０を水道蛇口２００の端部に取り付ける。その後、ドライバーなどの工具を用いて固定具１１０の各ネジ締結孔１１２にネジ１１９を締結すると、固定具１１０が水道蛇口２００に固定される。ここで、図面にはネジ山が形成されていない水道蛇口２００に固定具１１０を固定した状態が示されているが、これに限定する必要はなく、ネジ山が形成されている水道蛇口にも上述したような過程により固定具を固定することができる。
【００１０】
続いて、連結具１３０の連結具ネジ山１３２の上端を固定具１１０の固定具ネジ山１１６の下端に軽く接触させ、連結具１３０を締付方向に回転させる。すると、連結具ネジ山１３２と固定具ネジ山１１６との結合により、連結具１３０が固定具１１０に締結される。
【００１１】
このように、水道蛇口２００に固定具１１０が固定され固定具１１０に連結具１３０が締結されると、給水ホース１４０に固定されている結合具１２０を連結具１３０に近接させる。そして、この状態で作動部１２５を下方に押し下げれば、作動部１２５がスプリング１２６により弾力を受けながら下方に移動する。これと同時に、結合具１２０を連結具１３０のある上方に押し上げれば、連結具１３０の下部が結合具１２０の上部内側に挿入される。
【００１２】
この状態で作動部１２５を下方に押す力を解除すると、作動部１２５はスプリング１２６の復元力により上方に再度移動する。この時、作動部１２５の突起１２７が結合具１２０の各ボール挿入孔１２１に挿入されているボール１２２を内側方向に水平加圧し、これに伴って各ボール１２２の一部が連結具１３０の係止溝１３６に係止される。その結果、結合具１２０が連結具１３０に結合され水道蛇口２００への給水ホース１４０の結合が完了する。
【００１３】
一方、上述したような過程により給水ホース１４０が水道蛇口２００に結合された状態で、使用者が水道蛇口２００のバルブを開けると、水が水道蛇口２００から流出し、この流出する水は給水ホース１４０に沿って案内され外部に排出される。
【００１４】
また、給水ホース１４０を結合させて使用しているうちに、必要があって給水ホース１４０を再度分離する場合には、連結具１３０に結合された結合具１２０だけを分離させればよい。
【００１５】
まず、結合具１２０に設けられた作動部１２５を下方に押し下げて移動させ、ボール１２２の内側方向への水平加圧力を解除した後、結合具１２０を下方に引っ張り連結具１３０と分離させる。以後、結合具１２０の作動部１２５を別途の係止部材（図示せず）に引っ掛けて保管すればよい。
【００１６】
しかし、このような従来の技術によるホルダー装置１００においては、結合具１２０を連結具１３０に結合させようとする場合、上述したような過程を経なければならないため、結合具１２０と連結具１３０の組立作業に長く時間がかかるという問題点があった。
【００１７】
また、水道蛇口２００にホルダー装置１００が結合された状態で、使用者及びその他の物品との接触により作動部１２５に外力が加えられると、作動部１２５が下方へ移動してしまい、結合具１２０が連結具１３０から離脱し易いという問題点があった。
【発明の開示】
【発明が解決しようとする課題】
【００１８】
本発明は、上述したような従来技術の問題点を解決するために案出されたものであり、その目的は、水道蛇口にワンタッチで着脱できて使用が便利であり、外部から外力が加えられても離脱しない水道蛇口と給水ホースとの連結用ホルダー装置を提供することにある。
【課題を解決するための手段】
【００１９】
上述したような目的を達成するために、本発明は、
外周面に離脱防止具係止溝と案内突起が形成された連結管と、連結管を水道蛇口に設置するための固定用ナットとを含む水道蛇口結合具と、
連結管の軸方向に移動でき、連結管の外周に着脱可能に設置される作動手段と、
作動手段を連結管の軸方向に対して弾性的に支持するためのスプリングと、
スプリングを収容するためのスプリング溝を内部に有し、作動手段の外側に設置される固定具と、
作動手段、スプリング及び固定具を収容するために一端に形成された結合部と、結合部と一体に形成されて給水ホースに嵌挿される嵌挿部とを含み、作動手段の離脱を防止するために結合部の内面に係止溝が形成された連結具と、
連結具の結合部の内部に挿入される第１パッキンと、
を含む。
【００２０】
望ましくは、作動手段は、
管形を有し、水道蛇口結合具側に位置する端部には外周面に突出した支持段が形成され、外周面には円周方向に沿って離脱防止突起と一つ以上の離脱防止具溝が形成され、内部にはスプリングを支持するためのスプリング支持溝が形成されたスリーブと、
離脱防止具溝に設置され、連結管の離脱防止具係止溝に対して係止又は係止解除される離脱防止具と、
スリーブの外周面に結合され、等間隔で複数配置される結合片を有し、各結合片の内周面にはスリーブの離脱防止突起に掛かるようにフックが形成され、各結合片の外周面には連結具の係止溝に係合する係合突起が形成された結合具と、
を含む。
【００２１】
望ましくは、スリーブは離脱防止具溝を円周方向に沿って分割しながら二個に分離される。
【００２２】
望ましくは、固定具は、内面の一側に離脱防止具支持溝が提供され、離脱防止具支持溝から傾斜面に沿って延びて更に凹んだ離脱防止具収容溝が形成され、離脱防止具収容溝にスプリング溝が階段式に延設される。
【００２３】
望ましくは、固定具は傾斜面と離脱防止具収容溝との境界線を基準に円周方向に沿って二つに分かれる。
【００２４】
望ましくは、連結具における結合部の外周面の一側端部には掛け具溝が形成され、掛け具溝には掛け具が結合される。
【００２５】
望ましくは、連結具における結合部の内周面の一側端部には一つ以上の嵌合溝が形成され、スリーブの一側には嵌合溝に嵌合する嵌合突起が突設される。
【００２６】
望ましくは、離脱防止具は円形の球からなる。
【００２７】
望ましくは、離脱防止具は円筒形の頭部と、頭部から突設した円筒形係止段を含む。
【発明の効果】
【００２８】
本発明によれば、水道蛇口に結合された水道蛇口結合具の連結管にホルダー装置の連結具をワンタッチで簡便に着脱することができるため、組立性の向上及び簡便な使用が実現され、水道蛇口に結合されているホルダー装置に外力が加えられてもホルダー装置の水道蛇口からの離脱が防止され、使用者は安全に使用することができる。
【００２９】
また、連結具の結合部に嵌合溝が形成され、第１スリーブには嵌合溝に嵌合する嵌合突起が形成されることにより、ホルダー装置の水道蛇口からの離脱を二重で防止することができ、より安全な使用が可能であり、製品の信頼性をより一層向上させることができる。
【発明を実施するための最良の形態】
【００３０】
以下、本発明の望ましい実施例による水道蛇口と給水ホースとの連結用ホルダー装置を、添付図面を参照して更に詳細に説明する。
【００３１】
図１は第１実施例による水道蛇口と給水ホースとの連結用ホルダー装置Ａを分解して示し、図２は第１実施例による水道蛇口と給水ホースとの連結用ホルダー装置Ａを結合して示している。
【００３２】
図１及び図２に示すように、本発明の第１実施例による水道蛇口と給水ホースとの連結用ホルダー装置Ａは、水道蛇口結合具４９０、スプリングＳ、作動手段４３０、固定具４２０及び連結具４１０を含む。
【００３３】
水道蛇口結合具４９０は水道蛇口Ｔの下端部に設置され、固定用ナット４９１と連結管４９５を含む。水道蛇口Ｔの下端部には固定用ナット４９１により連結管４９５の上部が連結される。この時、水道蛇口Ｔと連結管４９５との間には、気密を維持するために第２パッキンＰ２が挟まれる。
【００３４】
固定用ナット４９１は、水道蛇口Ｔに形成された雄ネジ部Ｔ１に締結できるように雌ネジ部４９２が内周面に形成される。固定用ナット４９１の内部中央には貫通孔４９３が形成され、外周面上には回転ノブ４９４が突設される。
【００３５】
連結管４９５の上部は固定用ナット４９１の貫通孔４９３を通して挿入される。この時、連結管４９５の上部には貫通孔４９３からの離脱を防ぐために係止部４９６が形成される。係止部４９６は連結管４９５の外周面から突設されている。連結管４９５の上端部の外周面にはパッキン結合部４９８が形成される。第２パッキンＰ２はパッキン結合部４９８に結合されて係止部４９６に係止され、連結管４９５から離脱しない。
【００３６】
連結管４９５の下部は給水ホースＨ側に設けられる連結部４９７であり、連結部４９７は係止部４９６と一体に形成される。連結部４９７の外周面には離脱防止具係止溝４９７Ａが形成される。図面で離脱防止具係止溝４９７Ａの下方には案内突起４９７Ｂが形成される。
【００３７】
連結管４９５の外周面には作動手段４３０が結合される。作動手段４３０は第１スリーブ４４０、第２スリーブ４５０、離脱防止具４６０及び結合具４７０を含む。
【００３８】
連結管４９５の外周面には係止部４９６の部分を起点として第１スリーブ４４０、第２スリーブ４５０、スプリングＳが軸方向に沿って順に挟まれる。第１スリーブ４４０と第２スリーブ４５０との間には離脱防止具４６０が位置する。離脱防止具４６０は球形であり、連結管４９５の外周面上で軸方向移動が可能である。この時、離脱防止具４６０は離脱防止具係止溝４９７Ａに引っ掛かり、その移動が規制できる。
【００３９】
第１スリーブ４４０は、連結管４９５の外周面を取り囲んで結合するようにほぼ管形を有する。第１スリーブ４４０は、一端に外周面に突出した支持段４４１と、支持段４４１から下方に延設されて等間隔で複数配置される固定片４４５を含む。各固定片４４５の外周面には離脱防止突起４４６が円周方向に沿って突設される。各固定片４４５の端部には第１離脱防止具溝４４７が形成される。
【００４０】
第２スリーブ４５０の一端には第２離脱防止具溝４５２が形成されるが、この第２離脱防止具溝４５２は第１スリーブ４４０の固定片４４５における第１離脱防止具溝４４７と対応する位置に形成される。第２スリーブ４５０の内面には、スプリングＳを支持できるように円周方向に沿ってスプリング支持溝４５４が形成される。
【００４１】
第１スリーブ４４０と第２スリーブ４５０の外周面には結合具４７０及び固定具４２０が嵌められる。結合具４７０の下部には固定具４２０が位置する。結合具４７０は等間隔で複数配置される結合片４７２を持つ。これら結合片４７２の一端部は互いに一体に連結されている。結合片４７２の互いに分離されている他端部の内周面には、第１スリーブ４４０の離脱防止突起４４６に掛かるようにフック４７３が形成される。各結合片４７２の上記他端部の放射状外周面には結合突起４７４が形成される。
【００４２】
固定具４２０は、ほぼ管形を有し、内面の一側には離脱防止具支持溝４２５（図２参照）が提供され、他側にはスプリング溝４２１が提供される。固定具４２０のスプリング溝４２１は、第１スリーブ４４０のスプリング支持溝４５４と対応して形成され、スプリングＳが挿入される密閉空間を提供する。また、固定具４２０の内面には離脱防止具支持溝４２５から傾斜面４２７に沿って延びて更に凹んだ離脱防止具収容溝４２３が形成される。
【００４３】
結合具４７０と固定具４２０の外周面には連結具４１０が結合される。連結具４１０の一側は内部に収容空間を有する結合部４１３からなり、他側は給水ホースＨに嵌挿される嵌挿部４１２である。結合部４１３の上側端部には係止溝４１５が形成される。係止溝４１５の下部には固定具溝４１６と密着溝４１８が階段式に延設される。固定具溝４１６と密着溝４１８との間には第１パッキンＰ１が結合するパッキン溝４１７が形成される。結合部４１３の外周面端部には掛け具溝４１９が形成される。嵌合部４１２は給水ホースＨの外周面に設置される圧着具Ｈ１により強固に結合される。嵌合部４１２には嵌合突起５０４が形成される。
【００４４】
次に、上記のように構成された本発明の第１実施例による水道蛇口と給水ホースとの連結用ホルダー装置の作動を、添付図面を参照して説明する。
【００４５】
図３ａ乃至図３ｃは水道蛇口と給水ホースとの連結用ホルダー装置の作動を示す図面であり、図３ａ及び図３ｂは水道蛇口結合具に連結具を結合させる状態を示し、図３ｃは水道蛇口結合具から連結具を分離する状態を示している。
【００４６】
同図面に示すように、水道蛇口と給水ホースとの連結用ホルダー装置Ａを使用するためには、まず水道蛇口結合具４９０に第２パッキンＰ２を設置し、固定用ナット４９１を用いて水道蛇口Ｔに水道蛇口結合具４９０を結合する。
【００４７】
また、連結具４１０の結合部４１３内に第１パッキンＰ１、固定具４２０、結合具４７０を順に挿入させる。結合具４７０の係合突起４７４が連結具４１０の係止溝４１５に係合され離脱しないため、第１パッキンＰ１と固定具４２０が連結具４１０の軸方向に移動することを防止できる。その後、スプリングＳ、第２スリーブ４５０、離脱防止具４６０及び第１スリーブ４４０を順に挿入させる。スプリングＳは固定具４２０と第２スリーブ４５０との間に設置される。第１スリーブ４４０の離脱防止突起４４６が結合具４７０のフック４７３に掛かり結合するため、スプリングＳ、第２スリーブ４５０及び離脱防止具４６０が外部に離脱することを防止できる。その後、連結具４１０の掛け具溝４１９には掛け具４８０を結合する。
【００４８】
一方、連結具４１０の嵌挿部４１２を給水ホースＨ内に嵌挿した後、圧着具Ｈ１により嵌挿部４１２を固定する。すると、嵌挿部４１２の嵌挿突起５０４により嵌挿部４１２と給水ホースＨとが強固に結合される。
【００４９】
この状態で、水道蛇口結合具４９０の連結管４９５に連結具４１０を結合する。図３ａに示すように、連結具４１０に連結管４９５を嵌めれば、第１及び第２スリーブ４４０及び４５０の内部には連結管４９５が位置するようになる。
【００５０】
連結具４１０を嵌める過程で、離脱防止具４６０は連結管４９５の案内突起４９７Ｂにぶつかる。この時、力を加えて連結具４１０を水道蛇口Ｔ側へ更に移動させると、固定具４２０の移動に伴い、離脱防止具４６０は離脱防止具支持溝４２５から傾斜面４２７に沿って離脱防止具収容溝４２３に収容される。すると、連結管４９５は離脱防止具４６０に引っ掛かることなく、連結具４１０内に円滑に挿入される。
【００５１】
次いで、連結具４１０を進行方向に継続して移動させると、スプリングＳの弾性復元力により第２スリーブ４５０が水道蛇口Ｔ側に移動しながら離脱防止具４６０を上方に押す。これに伴い、離脱防止具４６０は離脱防止具収容溝４２３から傾斜面４２７に沿って移動し、離脱防止具係止溝４９７Ａに収容される。こうして、連結管４９５は連結具４１０の密着溝４１８にぴったりと結合され、連結管４９５と連結具４１０との結合が完了する。即ち、ホルダー装置Ａを用いて水道蛇口Ｔに給水ホースＨを連結する作業が完了する(図３ｂ参照)。
【００５２】
このように給水ホースＨと水道蛇口Ｔが連結された状態で使用者が水道蛇口Ｔのバルブを開けると、水が水道蛇口Ｔから流出し、ホルダー装置Ａを介して給水ホースＨに案内され外部に排出される。この時、水道蛇口Ｔから流出する水は、水道蛇口結合具４９０に設置された第２パッキンＰ２と、連結具４１０に設置された第１パッキンＰ１とにより漏水が防止される。
【００５３】
一方、必要に応じて水道蛇口結合具４９０から連結具４１０を分離しようとする場合は、次のようにする。まず、使用者が力を加えて第１スリーブ４４０を連結具４１０の結合部４１３内に移動させる。すると、第１スリーブ４４０が第２スリーブ４５０に力を加えて同一方向へ移動させ、これに伴い、離脱防止具４６０は固定具４２０の離脱防止具支持溝４２５から傾斜面４２７に沿って移動し、離脱防止具収容溝４２３に収容される。即ち、離脱防止具４６０が離脱防止具係止溝４９７Ａから外れるので、連結具４１０は円滑に動くことができる。この時、スプリングＳは第２スリーブ４５０により圧縮される(図３ｃ参照)。
【００５４】
この状態で、連結管４９５から連結具４１０を引っ張り分離させればよい。その後、第１スリーブ４４０に加えられている力を解除する。すると、圧縮されていたスプリングＳが弾性復元力により復元され、第１及び第２スリーブ４４０及び４５０を本来の位置に復帰させる。この時、離脱防止具４６０は離脱防止具収容溝４２３から傾斜面４２７に沿って移動し、離脱防止具支持溝４２５に収容される。また、第１スリーブ４４０の離脱防止突起４６は結合具４７０のフック４７３に掛かるため、第１スリーブ４４０は連結具４１０から離脱しない。
【００５５】
一方、連結管４９５から分離された連結具４１０は、外周面の掛け具４８０の掛け部４８４を別途の掛け部材（図示せず）に掛けておくことによって保管できる。
【００５６】
上記のようなホルダー装置Ａは、水道蛇口Ｔに簡便に着脱でき、使用者に使用の便利さと安全さを提供することができる。
【００５７】
図４は第２実施例による水道蛇口と給水ホースとの連結用ホルダー装置Ａを分解して示し、図５及び図６は第２実施例による水道蛇口と給水ホースとの連結用ホルダー装置Ａを結合して示している。図６は図５の第１スリーブの回転状態を示す。第２実施例は第１実施例から一部構成が変更されたものである。
【００５８】
本発明の第２実施例による水道蛇口と給水ホースとの連結用ホルダー装置Ａの場合には、連結具５１０の結合部４１３の内周面端部に複数の嵌合溝５１２が形成される。また、第１スリーブ５２０の支持段４４１と固定片４４５との間部分には嵌合突起５２２が突出する。この嵌合突起５２２は、連結具５１０の嵌合溝５１２に対応して形成される。嵌合突起５２２は、第１スリーブ５２０、第２スリーブ４５０及び離脱防止具４６０の移動を規制する役割をする。
【００５９】
一方、第１実施例と同じ構成に対しては、同一番号を付けてその説明を省略する。
【００６０】
上述したように構成された第２実施例によるホルダー装置Ａの作動について、図５及び図６を参照して説明する。
【００６１】
連結具５１０が水道蛇口結合具４９０に結合された状態で、図６に示すように第１スリーブ５２０を回転させる。すると、第１スリーブ５２０の嵌合突起５２２は連結具５１０の嵌合溝５１２と一致しないまま連結具５１０の端部に位置するようになる。これによって、第１スリーブ５２０に外部から力が加えられても、第１スリーブ５２０は連結具５１０の結合部４１３内に移動しないので、ホルダー装置Ａが水道蛇口Ｔから離脱することがなく、使用者は製品使用時に信頼性を期待することができる。
【００６２】
一方、必要に応じて水道蛇口結合具４９０から連結具５１０を分離しようとする場合には、第１スリーブ５２０の嵌合突起５２２が連結具５１０の嵌合溝５１２に位置するように第１スリーブ５２０を回転させて図５に示すような状態にする。その後、第１実施例で説明したような方法で水道蛇口結合具４９０から連結具５１０を分離すればよい。
【００６３】
図７は第３実施例による水道蛇口と給水ホースとの連結用ホルダー装置Ａを分解して示し、図８は第３実施例による水道蛇口と給水ホースとの連結用ホルダー装置Ａを結合して示している。
【００６４】
本発明の第３実施例による水道蛇口と給水ホースとの連結用ホルダー装置の場合には、スリーブが一体に形成される。
【００６５】
図７及び図８を参照すると、スリーブ５４０は、連結管４９５の外周面を取り囲んで結合するようにほぼ管形を有する。スリーブ５４０の一端には外周面に突出した支持段５４２が形成される。スリーブ５４０の外周面には軸方向に沿って等間隔でスリット溝５４４が形成され、円周方向に沿って離脱防止突起５４６が形成される。離脱防止突起５４６はスリット溝５４４により分かれる。支持段５４２の他側下部で、スリーブ５４０の外周面には離脱防止具溝５５０が複数形成される。離脱防止具溝５５０はスリーブ５４０の内周面側に行くほど断面積が狭くなるように形成される。支持段５４２の下部側で、スリーブ５４０の内周面には円周方向に沿ってスプリング支持溝４５４が形成される。
【００６６】
一方、第１実施例と同じ構成に対しては、同一番号を付けてその説明を省略する。また、第３実施例による水道蛇口と給水ホースとの連結用ホルダー装置の作動は第１実施例と同様である。
【００６７】
上述したような本発明の第３実施例によれば、スリーブ５４０を一体に形成することによって製造単価を節減でき、ホルダー装置Ａの組立時に使用者に便利さを提供できる。
【００６８】
図９は第４実施例による水道蛇口と給水ホースとの連結用ホルダー装置を分解して示している。第４実施例は第３実施例から一部構成が変更されたものである。
【００６９】
本発明の第４実施例では、連結具５１０の結合部４１３の内周面端部に複数の嵌合溝５１２が形成される。また、スリーブ５６０の支持段５４２から下方に延びた部分には嵌合突起５６２が突出する。この嵌合突起５６２は、連結具５１０の嵌合溝５１２に対応して形成される。嵌合突起５６２は、スリーブ５６０及び離脱防止具４６０の移動を規制する役割をする。
【００７０】
一方、第３実施例と同じ構成に対しては、同一番号を付けてその説明を省略する。また、第４実施例による水道蛇口と給水ホースとの連結用ホルダー装置の作動は第２実施例と同様である。
【００７１】
上述したような本発明の第４実施例によれば、スリーブ５６０を一体に形成することによって製造単価を節減でき、ホルダー装置Ａの組立時に使用者に便利さを提供できる。また、スリーブ５６０の嵌合突起５６２が連結具５１０の嵌合溝５１２と一致しない時には、スリーブ５６０に外部から力が加えられてもスリーブ５６０が連結具５１０内に移動しない。従って、ホルダー装置Ａが水道蛇口Ｔから離脱することがなく、使用者は製品使用時に信頼性を期待することができる。
【００７２】
図１０は第５実施例による水道蛇口と給水ホースとの連結用ホルダー装置Ａを分解して示し、図１１は第５実施例による水道蛇口と給水ホースとの連結用ホルダー装置Ａを結合して示している。第５実施例は第１実施例から一部構成が変更されたものである。
【００７３】
以下、本発明の第５実施例による作動手段６４０及び固定具６２０、６３０について説明する。
【００７４】
作動手段６４０は、第１スリーブ６５０、第２スリーブ６６０、離脱防止具６７０及び結合具４７０を含む。
【００７５】
第１スリーブ６５０は、連結管４９５の外周面を取り囲んで結合するようにほぼ管形を有する。第１スリーブ６５０は、固定用ナット４９１側に位置する一端に、外周面に突出した支持段６５１と、支持段６５１から下方に延設されて等間隔で複数配置される固定片６５５を含む。各固定片６５５の外周面には離脱防止突起６５６が円周方向に沿って形成される。第５実施例による第１スリーブ６５０は、第１実施例に比べて２倍の数の固定片６５５を有する。隣接する二つの固定片６５５の間には一つの第１離脱防止具溝６５７が形成される。即ち、隣接する二つの固定片６５５の各端部隅部に設けられている二つの溝が合わせられて、第１離脱防止具溝６５７を形成する。
【００７６】
第２スリーブ６６０の一端には、第１スリーブ６５０の第１離脱防止具溝６５７と対応する位置に第２離脱防止具溝６６２が形成される。第２スリーブ６６０の内面にはスプリングＳを支持できるように円周方向に沿ってスプリング支持溝６６４が形成される。
【００７７】
第１スリーブ６５０と第２スリーブ６６０が接触すると、第１離脱防止具溝６５７と第２離脱防止具溝６６２は当接して円形の溝をなす。この第１離脱防止具溝６５７と第２離脱防止具溝６６２との当接からできた円形の溝には離脱防止具６７０が挟まれる。離脱防止具６７０はほぼボルト形を有し、円筒形の頭部６７１と、頭部６７１から突設した円筒形係止段６７２を含む。
【００７８】
第５実施例で固定具は二つに分かれる。第１固定具６３０の内部には、離脱防止具支持溝６３２と、離脱防止具支持溝６３２から第２固定具６２０方向に拡張される傾斜面６３４が形成される。第２固定具６２０の内部には、離脱防止具収容溝６２３と、スプリング溝６２１が階段式に延設される。第２固定具６２０は連結具４１０の固定具溝４１６に収容される。
【００７９】
また、第５実施例で第１パッキンＰ３は、一般的なリング形を有する。
【００８０】
一方、第１実施例と同じ構成に対しては、同一番号を付けてその説明を省略する。
【００８１】
図１２ａ乃至図１２ｃは第５実施例による水道蛇口と給水ホースとの連結用ホルダー装置の作動を示す図面であり、図１２ａ及び１２ｂは水道蛇口結合具に連結具を結合する状態を示し、図１２ｃは水道蛇口結合具から連結具を分離する状態を示す。
【００８２】
図１２ａ乃至図１２ｃを参照すると、第５実施例による水道蛇口と給水ホースとの連結用ホルダー装置の作動は第１実施例と同様である。
【００８３】
上述したように構成された本発明の第５実施例によれば、ホルダー装置Ａは水道蛇口Ｔに簡便に着脱でき、使用者に使用の便利さと安全さを提供できる。
【００８４】
図１３は第６実施例による水道蛇口と給水ホースとの連結用ホルダー装置を分解して示し、図１４及び図１５は第６実施例による水道蛇口と給水ホースとの連結用ホルダー装置を結合して示している。図１５は図１４の第１スリーブの回転状態を示している。第６実施例は第５実施例から一部構成が変更されたものである。
【００８５】
本発明の第６実施例による水道蛇口と給水ホースとの連結用ホルダー装置Ａの場合には、連結具５１０の結合部４１３の内周面端部に複数の嵌合溝５１２が形成される。また、第１スリーブ７２０の支持段６５１から固定片６５５に向かって延びる部分には嵌合突起７２２が突設される。この嵌合突起７２２は、連結具５１０の嵌合溝５１２に対応して形成される。
【００８６】
一方、第５実施例と同じ構成に対しては、同一番号を付けてその説明を省略する。図１４及び図１５を参照すると、第６実施例による水道蛇口と給水ホースとの連結用ホルダー装置の作動は第２実施例と同様である。
【００８７】
上述したような本発明の第６実施例によれば、スリーブ７２０の嵌合突起７２２が連結具５１０の嵌合溝５１２と一致しない時には、第１スリーブ７２０に外部から力が加えられても第１スリーブ７２０が連結具５１０内に移動しない。従って、ホルダー装置Ａが水道蛇口Ｔから離脱することがなく、使用者は製品使用時に信頼性を期待することができる。
【００８８】
図１６は第７実施例による水道蛇口と給水ホースとの連結用ホルダー装置を分解して示し、図１７は第７実施例による水道蛇口と給水ホースとの連結用ホルダー装置を結合して示している。
【００８９】
本発明の第７実施例による水道蛇口と給水ホースとの連結用ホルダー装置の場合には、スリーブが一体に形成される。
【００９０】
図１６及び図１７を参照すると、スリーブ７４０は、連結管４９５の外周面を取り囲んで結合するようにほぼ管形を有する。スリーブ７４０の一端には、外周面に突出した支持段７４２が形成される。スリーブ７４０の外周面には、軸方向に沿って等間隔でスリット溝７４４が形成され、円周方向に沿って離脱防止突起７４６が形成される。離脱防止突起７４６はスリット溝７４４により分かれる。支持段７４２の他側下部で、スリーブ７４０の外周面には離脱防止具溝７５０が複数形成される。
【００９１】
一方、第５実施例と同じ構成に対しては、同一番号を付けてその説明を省略する。また、第７実施例による水道蛇口と給水ホースとの連結用ホルダー装置の作動は第５実施例と同様である。
【００９２】
上述したような本発明の第７実施例によれば、スリーブ７４０を一体に形成することによって製造単価を節減でき、ホルダー装置Ａの組立時に使用者に便利さを提供できる。
【００９３】
図１８は第８実施例による水道蛇口と給水ホースとの連結用ホルダー装置の分解斜視図であり、第７実施例から一部構成が変更されたものである。
【００９４】
本発明の第８実施例では、連結具５１０の結合部４１３の内周面端部に複数の嵌合溝５１２が形成される。また、スリーブ７６０の支持段７４２から固定片に向かって延びた部分には、嵌合溝５１２に対応して嵌合突起７６２が突設される。
【００９５】
一方、第７実施例と同じ構成に対しては、同一番号を付けてその説明を省略する。また、第８実施例による水道蛇口と給水ホースとの連結用ホルダー装置の作動は第７実施例と同様である。
【００９６】
上述したような本発明の第８実施例によれば、スリーブ７６０を一体に形成することによって製造単価を節減でき、ホルダー装置Ａの組立時に使用者に便利さを提供できる。また、スリーブ７６０の嵌合突起７６２が連結具５１０の嵌合溝５１２と一致しない時には、スリーブ７６０に外部から力が加えられてもスリーブ７６０が連結具５１０内に移動しない。従って、ホルダー装置Ａは水道蛇口Ｔから離脱することがなく、使用者は製品使用時に信頼性を期待することができる。
【００９７】
以上、本発明の望ましい実施例について説明したが、本発明はこれら実施例に限定されるものではなく、特許請求の範囲で請求する本発明の要旨を逸脱しない限り、本発明の属する分野における通常の知識を有する者ならば、誰でも多様な変形が可能である。
【図面の簡単な説明】
【００９８】
【図１】本発明の第１実施例による水道蛇口と給水ホースとの連結用ホルダー装置の分解斜視図である。
【図２】図１に示す水道蛇口と給水ホースとの連結用ホルダー装置の結合状態の断面図である。
【図３ａ】本発明の第１実施例による水道蛇口と給水ホースとの連結用ホルダー装置の作動状態図である。
【図３ｂ】本発明の第１実施例による水道蛇口と給水ホースとの連結用ホルダー装置の作動状態図である。
【図３ｃ】本発明の第１実施例による水道蛇口と給水ホースとの連結用ホルダー装置の作動状態図である。
【図４】本発明の第２実施例による水道蛇口と給水ホースとの連結用ホルダー装置の分解斜視図である。
【図５】図４に示す水道蛇口と給水ホースとの連結用ホルダー装置の結合状態の断面図である。
【図６】図５における第１スリーブの回転状態を示す断面図である。
【図７】本発明の第３実施例による水道蛇口と給水ホースとの連結用ホルダー装置の分解斜視図である。
【図８】図７に示す水道蛇口と給水ホースとの連結用ホルダー装置の結合状態の断面図である。
【図９】本発明の第４実施例による水道蛇口と給水ホースとの連結用ホルダー装置の分解斜視図である。
【図１０】本発明の第５実施例による水道蛇口と給水ホースとの連結用ホルダー装置の分解斜視図である。
【図１１】図１０に示す水道蛇口と給水ホースとの連結用ホルダー装置の結合状態の断面図である。
【図１２ａ】本発明の第５実施例による水道蛇口と給水ホースとの連結用ホルダー装置の作動状態図である。
【図１２ｂ】本発明の第５実施例による水道蛇口と給水ホースとの連結用ホルダー装置の作動状態図である。
【図１２ｃ】本発明の第５実施例による水道蛇口と給水ホースとの連結用ホルダー装置の作動状態図である。
【図１３】本発明の第６実施例による水道蛇口と給水ホースとの連結用ホルダー装置の分解斜視図である。
【図１４】図１３に示す水道蛇口と給水ホースとの連結用ホルダー装置の結合状態の断面図である。
【図１５】図１４における第１スリーブの回転状態を示す断面図である。
【図１６】本発明の第７実施例による水道蛇口と給水ホースとの連結用ホルダー装置の分解斜視図である。
【図１７】図１６に示す水道蛇口と給水ホースとの連結用ホルダー装置の結合状態の断面図である。
【図１８】本発明の第８実施例による水道蛇口と給水ホースとの連結用ホルダー装置の分解斜視図である。
【図１９】従来の水道蛇口と給水ホースとの連結用ホルダー装置を示す断面図である。
【符号の説明】
【００９９】
Ａ：ホルダー装置
Ｈ：給水ホース
Ｐ１、Ｐ３：第１パッキン
Ｐ２：第２パッキン
Ｓ：スプリング
Ｔ：水道蛇口
４１０、５１０：連結具
４２０：固定具
４４０、５２０、６５０、７２０：第１スリーブ
４５０、６６０：第２スリーブ
４６０、６７０：離脱防止具
４７０：結合具
４８０：係合具
４９０：水道蛇口結合具
５４０、５６０、７４０、７６０：スリーブ
６２０：第２固定具
６３０：第１固定具
【図１】
2007010152.tif 000003
【図２】
2007010152.tif 000004
【図３ａ】
2007010152.tif 000005
【図３ｂ】
2007010152.tif 000006
【図３ｃ】
2007010152.tif 000007
【図４】
2007010152.tif 000008
【図５】
2007010152.tif 000009
【図６】
2007010152.tif 000010
【図７】
2007010152.tif 000011
【図８】
2007010152.tif 000012
【図９】
2007010152.tif 000013
【図１０】
2007010152.tif 000014
【図１１】
2007010152.tif 000015
【図１２ａ】
2007010152.tif 000016
【図１２ｂ】
2007010152.tif 000017
【図１２ｃ】
2007010152.tif 000018
【図１３】
2007010152.tif 000019
【図１４】
2007010152.tif 000020
【図１５】
2007010152.tif 000021
【図１６】
2007010152.tif 000022
【図１７】
2007010152.tif 000023
【図１８】
2007010152.tif 000024
【図１９】
2007010152.tif 000025